(57)【特許請求の範囲】
【請求項１】
目地部を介して建てられた左右の建物の目地部側の床躯体に取付けられた一対のレールと、この一対のレールに両端部がスライド移動可能に支持される少なくとも２個以上の傾斜状態で配置される支持バーと、この少なくとも２個以上の支持バーに所定間隔で枢支された複数本の目地プレート支持バーと、この複数本の目地プレート支持バーにそれぞれ取付けられた隣りと所定寸法重なり合い、目地部の寸法が広くなったり、狭くなっても重なり状態を保つことができる複数枚の目地プレートとを備えることを特徴とする床用目地装置。
【請求項２】
目地部を介して建てられた左右の建物の目地部側の一方の床躯体に取付けられたレールと、このレールに一端部がスライド移動可能に支持され、他端部が他方の目地部側の床躯体に枢支された少なくとも２個以上の傾斜状態で配置される支持バーと、この少なくとも２個以上の支持バーに所定間隔で枢支された複数本の目地プレート支持バーと、この複数本の目地プレート支持バーにそれぞれ取付けられた隣りと所定寸法重なり合い、目地部の寸法が広くなったり、狭くなっても重なり状態を保つことができる複数枚の目地プレートとを備えることを特徴とする床用目地装置。
【請求項３】
目地部を介して建てられた左右の建物の目地部側の床躯体に取付けられた一対のレールと、この一対のレールに両端部がスライド移動可能に支持される少なくとも２個以上の傾斜状態で配置される支持バーと、この少なくとも２個以上の支持バーに所定間隔で枢支された隣りと所定寸法重なり合い、目地部の寸法が広くなったり、狭くなっても重なり状態を保つことができる複数枚のクランク状の目地プレートとを備えることを特徴とする床用目地装置。
【請求項４】
複数枚の目地プレートは目地プレート支持バーあるいは支持バーに先端部が上下方向に回動あるいは上下移動可能に取付けられていることを特徴とする請求項１〜３記載の床用目地装置。
【発明の詳細な説明】
【０００１】
【発明の属する技術分野】
本発明は目地部を介して建てられた左右の建物の床部分の目地部を覆う床用目地装置に関する。
【０００２】
【従来の技術】
従来の床用目地装置は左右の建物間の床目地部を１枚の目地プレートで覆うように構成されている。
【０００３】
【発明が解決しようとする課題】
従来の床目地部を１枚の目地プレートで覆う床目地装置は、免震ビル等のように揺れ動く寸法を大きく設定した所に使用する場合、目地プレートの寸法が大きくなり、運搬や設置作業が大変になるとともに、目地プレートの強度を得るために補強部材等を用いなければならず、さらに重くなり、運搬や設置作業が大変になりコスト高になるという欠点があった。
【０００４】
本発明は以上のような従来の欠点に鑑み、運搬や設置作業が容易で、地震等の揺れ動き時にはスムーズに伸縮できる床用目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は目地部を介して建てられた左右の建物の目地部側の床躯体に取付けられた一対のレールと、この一対のレールに両端部がスライド移動可能に支持される少なくとも２個以上の傾斜状態で配置される支持バーと、この少なくとも２個以上の支持バーに所定間隔で枢支された複数本の目地プレート支持バーと、この複数本の目地プレート支持バーにそれぞれ取付けられた隣りと所定寸法重なり合い、目地部の寸法が広くなったり、狭くなっても重なり状態を保つことができる複数枚の目地プレートとで床用目地装置を構成している。
【０００７】
【発明の実施の形態】
以下、図面に示す実施の形態により、本発明を詳細に説明する。
【０００８】
図１ないし図１０に示す本発明の第１の実施の形態において、１は目地部２を介して建てられた左右の建物３、３の床目地部を覆う本発明の床用目地装置で、この床用目地装置１は前記左右の建物３、３の目地部側の床躯体３ａ、３ａにほぼ水平状態に複数本のビス４等によって取付けられた一対のレール５、５と、この一対のレール５、５に両端部がスライド移動可能に支持される少なくとも２個以上の傾斜状態、本発明の実施の形態では４５度の傾斜状態で配置された複数個の支持バー６と、この複数個の支持バー６に所定間隔で枢支ピン７で枢支された複数本の目地プレート支持バー８と、この複数本の目地プレート支持バー８にそれぞれヒンジ部材９を介して取付けられた隣りと所定寸法重なり合い、前記目地部２の寸法が広くなったり、狭くなっても重なり状態を保つことができる複数枚の目地プレート１０と、この複数枚の目地プレート１０の一方の端部と所定寸法重なり合う、一方の建物３の目地部側の床躯体３ａにヒンジ部材９を介して取付けられた該目地プレート１０とほぼ同じ形状の端部目地プレート１１と、前記複数枚の目地プレート１０の他方の端部と所定寸法重なり合う他方の建物３の目地部側の床躯体３ａに複数本のビス４によって固定された、該目地プレート１０とほぼ同じ形状の支持プレート１２とで構成されている。
【０００９】
前記一対のレール５、５は図３に示すように、下部にビス等の挿入孔１３が所定間隔で形成されたベース板１４と、このベース板１４の一側面ほぼ中央部よりＬ字状に突出するように一体形成されたレール部１５と、前記ベース板１４の上部より一側面方向に突出するように一体形成されたストッパー片１６とで構成されている。
【００１０】
前記複数個の支持バー６は図４に示すように、角材で形成され支持バー本体１７と、この支持バー本体１７の両端部に下方へ突出するように取付けられた、前記一対のレール５、５のレール部１５、１５にスライド移動可能に支持されるローラ１８、１８と、前記支持バー本体１７に所定間隔で形成された多数個の枢支ピン挿入孔１９とで構成されている。
【００１１】
前記複数本の目地プレート支持バー８は図５に示すように、角材で形成された目地プレート支持バー本体２０と、この目地プレート支持バー本体２０に所定間隔で形成された前記複数個の支持バー６の枢支ピン挿入孔１９と連通して枢支ピン７でそれぞれ枢支される多数個の枢支ピン挿入孔２１とで構成されている。
【００１２】
前記複数個の目地プレート１０は図６に示すように、板状の目地プレート本体２２と、この目地プレート本体２２の一端部に下方へ突出するように一体形成された取付け片２３とで構成されている。
【００１３】
上記構成の床用目地装置１は、地震等によって目地部２が広くなるように揺れ動いた場合には、図７および図８に示すように複数個の支持バー６が一対のレール５、５をスライド移動して左右方向に直線状態となるようにスライド移動するため、該複数個の支持バー６に枢支された複数本の目地プレート支持バー８の間隔が大きくなるように移動し、この複数本の目地プレート支持バー８の移動によって複数個の目地プレート１０の重なり寸法が小さくなるようにスライド移動して、目地部２に隙間が生じることなく、その揺れ動きを吸収する。
【００１４】
目地部２が狭くなるように揺れ動いた場合には、図９および図１０に示すように複数個の支持バー６が一対のレール５、５をスライド移動して、傾斜が大きくなるようにスライド移動するため、該複数個の支持バー６に枢支された複数本の目地プレート支持バー８の間隔が小さくなるように移動し、この複数本の目地プレート支持バー８の移動によって複数個の目地プレート１０の重なり寸法が大きくなるようにスライド移動して、該目地プレート１０等を損傷することなく、その揺れ動きを吸収する。
【００１５】
【発明の異なる実施の形態】
次に、図１１ないし図３７に示す本発明の異なる実施の形態につき説明する。なお、これらの本発明の異なる実施の形態の説明に当って、前記本発明の第１の実施の形態と同一構成部分には同一符号を付して重複する説明を省略する。
【００１６】
図１１ないし図１３に示す本発明の第２の実施の形態において、前記本発明の第１の実施の形態と主に異なる点は、先端部の下面に傾斜面２４を形成するとともに、後端部の重なり合う部となる上面に隣りの先端部が入り込み、上面が平坦面となる凹部２５を形成した複数個の目地プレート１０Ａを用いた点で、このように形成された複数個の目地プレート１０Ａを用いて構成した床用目地装置１Ａにしても、前記本発明の第１の実施の形態と同様な作用効果が得られるとともに上面を平坦面にすることができる。
【００１７】
図１４ないし図１６に示す本発明の第３の実施の形態において、前記本発明の第１の実施の形態と主に異なる点は、Ｌ字状の取付け片２３Ａが形成された複数個の目地プレート１０Ｂと、この目地プレート１０Ｂの取付け片２３Ａをスプリング２６の付勢力で目地プレート支持バー８に押し圧状態で取付けるボルトを用いた取付け具２７を用いた点で、このように構成した床用目地装置１Ｂにしても前記本発明の第１の実施の形態と同様な作用効果が得られる。
【００１８】
図１７ないし図１９に示す本発明の第４の実施の形態において、前記本発明の第３の実施の形態と主に異なる点は、複数個の目地プレート１０Ｂの取付け片２３Ａを支持バー６にスプリング２６を介したボルトを用いた取付け具２７によって枢支状態で取付けた点で、このように構成した床用目地装置１Ｃにしても、前記本発明の第３の実施の形態と同様な作用効果が得られるとともに、複数本の目地プレート支持バーが不用で、構造が簡単で安価に設置することができる。
【００１９】
図２０ないし図２２に示す本発明の第５の実施の形態において、前記本発明の第１の実施の形態と主に異なる点は、複数個の支持バー６の一端部を一方の建物３の目地部側の床躯体３ａに取付け金具２８を用いて他端部が水平方向に回動可能に取付けた点で、このように構成した床用目地装置１Ｄにしても、前記本発明の第１の実施の形態と同様な作用効果が得られる。
【００２０】
図２３ないし図２５に示す本発明の第６の実施の形態において、前記本発明の第４の実施の形態と主に異なる点は、目地プレート本体２２Ａをわずかな傾斜面となるように形成した複数個の目地プレート１０Ｃと、この複数個の目地プレート１０Ｃの取付け片２３Ａをボルトを用いた取付け具２７で枢支状態で支持バー６に取付けた点で、このように構成した床用目地装置１Ｅにしても、前記本発明の第４の実施の形態と同様な作用効果が得られる。
【００２１】
図２６ないし図２８に示す本発明の第７の実施の形態において、前記本発明の第４の実施の形態と主に異なる点は、複数個の支持バー６に上端部にＣ字状の軸受部２９が形成された目地プレート支持体３０を枢支ピン７で枢支し、該目地プレート支持体３０の軸受部２９に所定量回動可能に取付けられる玉縁形状の軸部３１が形成された目地プレート１０Ｄを取付けるとともに、目地プレート１０Ｄの両端部に伸縮可能で両端部が枢支ピン３２、３２で左右の床躯体３ａ、３ａに枢支された目地プレート位置決め部材３３、３３を取付けた点で、このように構成した床用目地装置１Ｆにしても、前記本発明の第４の実施の形態と同様な作用効果が得られる。
【００２２】
図２９ないし図３１に示す本発明の第８の実施の形態において、前記本発明の第１の実施の形態と主に異なる点は、下部に床面３４が設けられた部位の左右の建物３、３の目地部側の床躯体３ａ、３ａに取付けられた一対のレール５、５にスライド移動可能に支持されに複数個の支持バー６のほぼ中央部にそれぞれ前記床面３４上を転動するローラー３５を備える支柱３６を固定的に取付けた点で、このように構成した床用目地装置１Ｇにしても、前記本発明の第１の実施の形態と同様な作用効果が得られる。
【００２３】
図３２ないし図３４に示す本発明の第９の実施の形態において、前記本発明の第８の実施の形態と主に異なる点は、複数個の支持バー６のほぼ中央部に枢支ピン７によって補強バー３７を枢支するとともに、該補強バー３７の所定部位に床面３４上を転動するローラー３５を備える支柱３６を固定的に取付けた点で、このように構成した床用目地装置１Ｈにしても、前記本発明の第８の実施の形態と同様な作用効果が得られる。
【００２４】
図３５ないし図３７に示す本発明の第１０の実施の形態において、前記本発明の第８の実施の形態と主に異なる点は、床面３４に複数個の支持バー６をスライド移動可能に支持する複数個の支持板状のスべリ支持体３８を設けた点で、このように構成した床用目地装置１Ｉにしても、前記本発明の第８の実施の形態と同様な作用効果が得られる。
【００２５】
【発明の効果】
以上の説明から明らかなように、本発明にあっては次に列挙する効果が得られる。
【００２６】
（１）目地部を介して建てられた左右の建物の目地部側の床躯体に取付けられた一対のレールと、この一対のレールに両端部がスライド移動可能に支持される少なくとも２個以上の傾斜状態で配置される支持バーと、この少なくとも２個以上の支持バーに所定間隔で枢支された複数本の目地プレート支持バーと、この複数本の目地プレート支持バーにそれぞれ取付けられた隣りと所定寸法重なり合い、目地部の寸法が広くなったり、狭くなっても重なり状態を保つことができる複数枚の目地プレートとで構成されているので、目地部を複数枚の目地プレートで覆うことができる。
したがって、従来のように大きくて重い１枚の目地プレートを用いるものに比べ、運搬や設置作業を容易に行なうことができる。
【００２７】
（２）前記（１）によって、地震等によって左右の建物が異なる前後左右方向に揺れ動いても伸縮したり、前後方向にスライド移動して、その揺れ動きを吸収することができる。
【００２８】
（３）前記（１）によって、一対のレール、少なくとも２個以上の支持バー、複数本の目地プレート支持バー、複数枚の目地プレートでよいので、部品点数が少なく、容易に製造することができる。
【００２９】
（４）請求項２、３、４も前記（１）〜（３）と同様な効果が得られる。
【図面の簡単な説明】
【図１】本発明の第１の実施の形態の一部破断平面図。
【図２】図１の２−２線に沿う拡大断面図。
【図３】本発明の第１の実施の形態のレールの説明図。
【図４】本発明の第１の実施の形態の支持バーの説明図。
【図５】本発明の第１の実施の形態の目地プレート支持バーの説明図。
【図６】本発明の第１の実施の形態の目地プレートの説明図。
【図７】本発明の第１の実施の形態の目地部が広くなった状態の平面図。
【図８】本発明の第１の実施の形態の目地部が広くなった状態の断面図。
【図９】本発明の第１の実施の形態の目地部が狭くなった状態の平面図。
【図１０】本発明の第１の実施の形態の目地部が狭くなった状態の断面図。
【図１１】本発明の第２の実施の形態の一部破断平面図。
【図１２】図１１の１２−１２線に沿う拡大断面図。
【図１３】本発明の第２の実施の形態の目地プレートの説明図。
【図１４】本発明の第３の実施の形態の一部破断平面図。
【図１５】図１４の１５−１５線に沿う拡大断面図。
【図１６】本発明の第３の実施の形態の目地プレートの説明図。
【図１７】本発明の第４の実施の形態の一部破断平面図。
【図１８】図１７の１８−１８線に沿う拡大断面図。
【図１９】本発明の第４の実施の形態の要部拡大断面図。
【図２０】本発明の第５の実施の形態の一部破断平面図。
【図２１】図２０の２１−２１線に沿う拡大断面図。
【図２２】本発明の第５の実施の形態の支持バーの説明図。
【図２３】本発明の第６の実施の形態の一部破断平面図。
【図２４】図２３の２４−２４線に沿う拡大断面図。
【図２５】本発明の第６の実施の形態の目地プレートの説明図。
【図２６】本発明の第７の実施の形態の一部破断平面図。
【図２７】図２６の２７−２７線に沿う拡大断面図。
【図２８】図２６の２８−２８線に沿う拡大断面図。
【図２９】本発明の第８の実施の形態の一部破断平面図。
【図３０】図２９の３０−３０線に沿う拡大断面図。
【図３１】図２９の３１−３１線に沿う拡大断面図。
【図３２】本発明の第９の実施の形態の一部破断平面図。
【図３３】図３２の３３−３３線に沿う拡大断面図。
【図３４】図３２の３４−３４線に沿う拡大断面図。
【図３５】本発明の第１０の実施の形態の一部破断平面図。
【図３６】図３５の３６−３６線に沿う拡大断面図。
【図３７】図３５の３７−３７線に沿う拡大断面図。
【符号の説明】
１、１Ａ〜１Ｉ：床用目地装置、
２：目地部、            ３：建物、
４：ビス、              ５：レール、
６：支持バー、          ７：枢支ピン、
８：目地プレート支持バー、
９：ヒンジ部材、
１０、１０Ａ〜１０Ｄ：目地プレート、
１１：端部目地プレート、１２：支持プレート、
１３：ビス等の挿入孔、  １４：ベース板、
１５：レール部、        １６：ストッパー片、
１７：支持バー本体、    １８：ローラ、
１９：枢支ピン挿入孔、
２０：目地プレート支持バー本体、
２１：枢支ピン挿入孔、
２２、２２Ａ：目地プレート本体、
２３、２３Ａ：取付け片、２４：傾斜面、
２５：凹部、            ２６：スプリング、
２７：取付け具、        ２８：取付け金具、
２９：Ｃ字状の軸受部、  ３０：目地プレート支持体、
３１：玉縁形状の軸部、  ３２：枢支ピン、
３３：目地プレート位置決め部材、
３４：床面、            ３５：ローラー、
３６：支柱、            ３７：補強バー、
３８：スベリ支持体。
【図１】
0003660567.tif 000002
【図２】
0003660567.tif 000003
【図３】
0003660567.tif 000004
【図４】
0003660567.tif 000005
【図５】
0003660567.tif 000006
【図６】
0003660567.tif 000007
【図７】
0003660567.tif 000008
【図８】
0003660567.tif 000009
【図９】
0003660567.tif 000010
【図１０】
0003660567.tif 000011
【図１１】
0003660567.tif 000012
【図１２】
0003660567.tif 000013
【図１３】
0003660567.tif 000014
【図１４】
0003660567.tif 000015
【図１５】
0003660567.tif 000016
【図１６】
0003660567.tif 000017
【図１７】
0003660567.tif 000018
【図１８】
0003660567.tif 000019
【図１９】
0003660567.tif 000020
【図２０】
0003660567.tif 000021
【図２１】
0003660567.tif 000022
【図２２】
0003660567.tif 000023
【図２３】
0003660567.tif 000024
【図２４】
0003660567.tif 000025
【図２５】
0003660567.tif 000026
【図２６】
0003660567.tif 000027
【図２７】
0003660567.tif 000028
【図２８】
0003660567.tif 000029
【図２９】
0003660567.tif 000030
【図３０】
0003660567.tif 000031
【図３１】
0003660567.tif 000032
【図３２】
0003660567.tif 000033
【図３３】
0003660567.tif 000034
【図３４】
0003660567.tif 000035
【図３５】
0003660567.tif 000036
【図３６】
0003660567.tif 000037
【図３７】
0003660567.tif 000038